(57)【特許請求の範囲】
【請求項１】
組立作業台上に立設された電線保持具に沿って、所要経路に電線を布線することでワイヤハーネスの組立を行う工程中に余剰線を処理する工程を含むワイヤハーネスの組立方法であって、
上記電線保持具間に分岐させることなく直線状に布線される電線を上記余剰線が束ねられる幹線の処理領域とし、該幹線の処理領域から一方側の側方にズレた位置で、かつ、幹線の布線方向に対し直交する方向に所要間隔を有するようにして一対の引掛け治具を立設し、上記処理領域において余剰線をループ状に引き出して、該余剰線のみを上記引掛け治具の間に所要回数巻回し、
次いで、引掛け治具に保持された余剰線の中間部分にテープを巻き付けて束状形態を保持し、該束状形態の余剰線を引掛け治具から取り外すと共に、上記幹線の処理領域に沿わせてテープで巻き付けて束ねるようにしたことを特徴とするワイヤハーネスの組立方法。
【請求項２】
上記余剰線を重ならないように上記引掛け治具の間に巻回して、上記束状形態の余剰線を扁平形状としている請求項１に記載のワイヤハーネスの組立方法。
【発明の詳細な説明】
【０００１】
【発明の属する技術分野】
本発明は、ワイヤハーネスの組立方法に関し、詳しくは、余剰線の処理操作を簡素化すると共に、幹線に対し整然と束ねることができるようにするものである。
【０００２】
【従来の技術】
一般にワイヤハーネスＷ／Ｈは、図５に示すように、組立作業台１に立設された電線保持具２によって、電線Ｗを所要経路に布線すると共に、端末に取り付けたコネクタＣを所要位置に配置することで組み立てられる。特別な場合で、ヘッドランプの回路となるワイヤハーネスＷ／Ｈにおいて、電圧を下げる必要がある場合、必要回路の電線長を意図的に長くすることがある。これによって生じる余剰線３は、図６に示すように、作業者が任意の長さに折り重ねてワイヤハーネスＷ／Ｈの幹線Ｗａと一緒に束ねられる。
【０００３】
【発明が解決しようとする課題】
しかしながら、余剰線３の処理、即ち、折り重ねる長さ、回数等は各作業者により任意に行われていたので、折り重ね位置にばらつきが生じ易く、多くの箇所をテープＴで固定しなければならない。また、余剰線３を折り重ねた束が団子状になって、コルゲートチューブ等の外装品を装着し難いという問題や、コルゲートチューブからはみ出した部分への他部材の引っ掛かりが生じる等の問題があった。
【０００４】
本発明は上記した問題に鑑みてなされたもので、組立作業台に立設された所要の２本の引掛け治具を利用して、余剰線を効果的に整然と吸収処理することを課題としている。
【０００５】
【課題を解決するための手段】
上記課題を解決するため、本発明は、組立作業台上に立設された電線保持具に沿って、所要経路に電線を布線することでワイヤハーネスの組立を行う工程中に余剰線を処理する工程を含むワイヤハーネスの組立方法であって、
上記電線保持具間に分岐させることなく直線状に布線される電線を上記余剰線が束ねられる幹線の処理領域とし、該幹線の処理領域から一方側の側方にズレた位置で、かつ、幹線の布線方向に対し直交する方向に所要間隔を有するようにして一対の引掛け治具を立設し、上記処理領域において余剰線をループ状に引き出して、該余剰線のみを上記引掛け治具の間に所要回数巻回し、
次いで、引掛け治具に保持された余剰線の中間部分にテープを巻き付けて束状形態を保持し、該束状形態の余剰線を引掛け治具から取り外すと共に、上記幹線の処理領域に沿わせてテープで巻き付けて束ねるようにしたことを特徴とするワイヤハーネスの組立方法を提供している。
【０００６】
上記方法によれば、余剰線の処理に際し、引掛け治具に巻回するのみで容易に整然とまとめることができる。また、引掛け治具に巻回された状態で中間部分をテープ止めしてその束状形態を保持できるため、その後の幹線に沿わせる操作も効率良く行うことができると共に、幹線へのテープ止めによる合体化に際し、必要最小限のテープ使用にてまとめることができる。幹線に束ねられた余剰線は、整然と処理されているため団子状となることはなく、コルゲートチューブからのはみ出しや、他の部材との引っ掛かりを生じることもない。
また、上記余剰線を重ならないように上記引掛け治具の間に巻回して、上記束状形態の余剰線を扁平形状としていることが好ましい。
【０００７】
【発明の実施の形態】
以下、本発明の実施形態を図面を参照して説明する。
図１は組立作業台１１上で、余剰線１３を有するワイヤハーネスＷ／Ｈを組み立てる状態を示し、組立作業台１１には、ワイヤハーネスＷ／Ｈの布線経路に沿って配置された電線保持具１２と、余剰線１３を処理するための一対の引掛け治具１４ａ、１４ｂを立設している。
【０００８】
上記電線保持具１２は、支軸１２ａの上端にＵ字状の保持部１２ｂを備え、該保持部１２ｂに沿って電線Ｗを布線することにより、電線Ｗを、テープ巻き、部品の取付に適した所要高さに保持するようにしている。上記引掛け治具１４ａ、１４ｂは電線保持具１２と同等の高さを有する丸棒からなっている。一方の引掛け治具１４ａは、余剰線１３が束ねられる幹線Ｗａの処理領域１５に隣接して立設され、他方の引掛け治具１４ｂは、幹線Ｗａの布線方向に対し直交する方向に所要間隔Ｌａを有する位置に立設している。
【０００９】
上記組立作業台１１によりワイヤハーネスＷ／Ｈを組み立てる工程において、余剰線１３を処理するには、通常の組立操作と同様に電線保持具１２に沿って電線Ｗを布線した後、先ず、図２（Ａ）に示すように、幹線Ｗａの処理領域１５において余剰線１３をループ状に引っ張り出す。そして、引掛け治具１４ａを基点として他方の引掛け治具１４ｂの方向、即ち、幹線Ｗａに直交する方向へ余剰線１３を延ばして引掛け治具１４ｂに引っ掛けるようにして巻回する。次いで、図２（Ｂ）に示すように、引掛け治具１４ａ、１４ｂ間で余剰線１３を吸収できるまで所要回数巻回する。このとき、巻回される余剰線１３が互いに重ならないように巻回することで巻回部１３ａを扁平化すれば、後の幹線Ｗａへの合体処理時に幹線Ｗａの外周に馴染ませ易い。
【００１０】
続いて、図２に示すように、引掛け治具１４ａ、１４ｂに保持された余剰線１３の巻回部１３ａの中間部分にテープＴａを巻き付けてその束状形態を保持する。次いで、図３に示すように、テープＴａにより保持された巻回部１３ａを引掛け治具１４ａ、１４ｂから取り外すと共に、幹線Ｗａの処理領域１５に沿わせ、テープＴｂ、Ｔｃを巻き付けることで幹線Ｗａに合体して束ねるようにしている。このようにして、処理された余剰線１３は、整然とまとめられた状態で合体されるので、幹線Ｗａの外周に馴染んで必要以上に出っ張ることがない。よって、幹線Ｗａへのコルゲートチューブ等の外装品取付時に余剰線１３がはみ出て、ワイヤハーネスＷ／Ｈの運搬中および車体への取り付け作業中における他部材との干渉を防止できる。また、見栄えよく仕上げることができる。
【００１１】
図４は、余剰線１３の余長Ｌと、引掛け治具１４ａ、１４ｂ間の所要間隔Ｌａとの関係を示し、図４（Ａ）は引掛け治具１４ａ、１４ｂへの引掛け回数ｎ＝１の場合、図４（Ｂ）はｎ＝２、図４（Ｃ）はｎ＝３の場合を示している。これにより、組立作業台１１上で設定すべき引掛け治具１４ａ、１４ｂ間の所要間隔は、Ｌａ＝Ｌ／２×（ｎ＋１）となる。なお、引掛け治具１４ａ、１４ｂへの巻回回数ｎは、幹線Ｗａで吸収すべき処理領域１５の範囲と、引掛け治具１４ａ、１４ｂ間の間隔Ｌａとの関係で決定される。
【００１２】
【発明の効果】
以上の説明より明かなように、本発明に係わるワイヤハーネスの組立方法によれば、ワイヤハーネスの組立工程中において、簡易な操作により余剰線を整然とした巻回状態にまとめることができ、かつ、その処理状態は作業者によりばらつきを生じることもない。巻回処理された余剰線は、幹線に合体した状態で均一に馴染ませることができるため、大きく出っ張ることがなく、コルゲートチューブ等の外装品からのはみ出しや、他部材との干渉を防止することができる。
【図面の簡単な説明】
【図１】  ワイヤハーネスの組立作業台上での余剰線の処理状態を示す斜視図である。
【図２】  （Ａ）乃至（Ｃ）は余剰線の処理工程を示す図である。
【図３】  幹線への余剰線の合体処理状態を示す図である。
【図４】  （Ａ）乃至（Ｃ）は余剰線の余長と引掛け治具の間隔との関係を示す図である。
【図５】  従来例を示す図である。
【図６】  従来例を示す図である。
【符号の説明】
Ｗ  電線
Ｗａ  幹線
１１  組立作業台
１２  電線保持具
１３  余剰線
１４ａ、１４ｂ  引掛け治具
１５  処理領域
【図１】
0004013403.tif 000002
【図２】
0004013403.tif 000003
【図３】
0004013403.tif 000004
【図４】
0004013403.tif 000005
【図５】
0004013403.tif 000006
【図６】
0004013403.tif 000007